(57)【要約】【課題】本発明の目的は、接続が安定したコネクタプラグを提供することである。【解決手段】本発明に係るコネクタプラグは、ハウジング、絶縁挿入部、及び係合部材を備えている。係合部材は、主体、係合凸部、及び弾性アームを備えている。係合凸部は、前記主体の操作による弾性アームの変形によって傾斜され、この傾斜によって係合凸部が絶縁挿入部の貫通部から離隔することによって、コネクタプラグがソケットに対して着脱される。【選択図】図２
2013131496.tif 000002
【特許請求の範囲】
【請求項１】
係合溝を有するソケットに挿入接続されるコネクタプラグであって、
前記コネクタプラグは、ハウジングと、前記ハウジングの一端に固定されている絶縁挿入部と、前記ハウジングと前記絶縁挿入部とを貫通するように装着される係合部材と、を備えている前記コネクタプラグにおいて、
前記絶縁挿入部には、貫通部が設けられ、
前記係合部材が、主体と、前記主体の端部それぞれに形成されている係合凸部と、弾性アームとを備えており、
前記主体が、前記ハウジングに回転可能に装着され、
前記係合凸部が、前記絶縁挿入部の貫通部から挿入することによって前記係合溝に係合可能とされ、
前記弾性アームが前記ハウジングに当接しており、前記主体を操作による前記弾性アームの変形によって前記係合凸部が傾斜し、且つ、この傾斜によって前記係合凸部が前記貫通部から離隔することによって、前記コネクタプラグが前記ソケットに対して着脱されることを特徴とするコネクタプラグ。
【請求項２】
前記コネクタプラグが、前記ハウジングと前記絶縁挿入部とを連通するように形成されている収容部をさらに備えており、
前記収容部が、底壁及び当接斜面を備えており、
前記貫通部が、前記底壁の一端に設けられる一方、前記絶縁挿入部を貫通しており、
前記当接斜面が、前記底壁の他端に設置されていることを特徴とする請求項１に記載のコネクタプラグ。
【請求項３】
前記主体が、作用アームと、前記作用アームの一端から上方に傾斜して延伸している押圧アームとを備えており、
前記係合凸部が、前記作用アームの他端に形成されており、
前記弾性アームが、前記作用アームが位置する前記押圧アームの表面から延伸しており、且つ、前記押圧アームと一定の角度を成すことを特徴とする請求項２に記載のコネクタプラグ。
【請求項４】
前記収容部が、それぞれに軸穴が形成されている２つの側壁をさらに備えており、
作用アーム２４６に近い押圧アーム２４７の一端における側面それぞれには、回転軸が突出して形成されており、
前記係合部材が、前記収容部内に装着され、
２つの前記回転軸が、２つの前記軸穴に回転可能に装着され、
前記係合凸部が、前記貫通部内に挿入され、
前記弾性アームが、前記底壁に当接していることを特徴とする請求項２に記載のコネクタプラグ。
【請求項５】
弾性アームに近い前記作用アームの表面には、当接凸部が形成されており、
前記当接凸部が、前記係合凸部と同一表面に位置しており、
前記当接凸部が、前記底壁に当接していることを特徴とする請求項４に記載のコネクタプラグ。
【発明の詳細な説明】
【技術分野】
【０００１】
本発明は、コネクタプラグに関する。
【背景技術】
【０００２】
サーバにおけるハードディスクのバスインタフェースとして、一般には、ＳＡＴＡポートが採用されている。このＳＡＴＡポートに適用可能なコネクタプラグをバスインタフェースに挿入することによって、外接ケーブルをハードディスクに接続することができる。前記ハードディスクには係合凹部が形成されており、コネクタプラグには係合凸部が形成されているので、前記係合凹部と前記係合凸部とを係合させることによって、コネクタプラグがハードディスクから脱落すること又は当該係合部分が弛緩することが防止される。しかし、従来技術では、係合凸部は、スライドさせることによって係合凹部に挿入されるので、長期間の使用によって係合凸部が摩擦に起因して損傷し、係合凹部と係合凸部との係合は弛緩する。これにより、外接ケーブルとハードディスクとの接続が不安定となり、ハードディスクの使用に悪影響を与えることがある。
【発明の概要】
【発明が解決しようとする課題】
【０００３】
以上の問題点に鑑みて、本発明の目的は、安定した接続を実現するコネクタプラグを提供することである。
【課題を解決するための手段】
【０００４】
課題を解決するために、本発明に係るコネクタプラグは、係合溝を有するソケットに挿入及び接続される。コネクタプラグは、ハウジングと、ハウジングの一端に固定されている絶縁挿入部と、ハウジングと絶縁挿入部とを貫通するように装着される係合部材とを備えており、絶縁挿入部には、貫通部が設けられ、係合部材は、主体と、主体の端部それぞれに形成されている係合凸部及び弾性アームとを備えており、主体は、ハウジングに回転可能に装着され、係合凸部は、絶縁挿入部の貫通部から挿入されて係合溝に係合可能とされ、弾性アームはハウジングに当接され、主体の操作による弾性アームの変形によって係合凸部が傾斜され、且つ、この傾斜によって係合凸部が貫通部から離隔することによって、コネクタプラグがソケットに対して着脱される。
【発明の効果】
【０００５】
本発明に係るコネクタプラグは、係合部材を備えており、係合部材は、弾性アーム、作用アーム、及び該作用アームから延伸している押圧アームを備えている。作用アームの一端側には、係合凸部が形成されており、作用アームの他端側には、弾性アーム及び押圧アームが形成されており、弾性アームと押圧アームとは一定の角度を成す。コネクタプラグをソケットのポートに挿入する際に、押圧アームを押圧すると、作用アームが回転して係合凸部が傾斜されるので、コネクタプラグをポートに挿入する過程において、係合凸部とポートとの間に摩擦が発生しない。また、コネクタプラグを挿入した後に、押圧アームに作用させている外力を解除すると、押圧アームは弾性アームの弾性力によって元の位置に復帰し、作用アームの係合凸部がソケットの係合溝に係合される。また、ソケットからコネクタプラグを取り外す際にも、係合凸部とポートとの間に摩擦が発生しない。従って、本発明に係るコネクタプラグは、挿入及び取り外しの操作が容易で且つ係合凸部とソケットとの間に摩擦が発生しないので、係合凸部が摩擦に起因して損傷することを効果的に防止し、記憶装置の安定的な使用を確保することができる。
【図面の簡単な説明】
【０００６】
【図１】本発明に係るコネクタプラグと記憶装置のソケットとの接続状態を示す。
【図２】図１に示したコネクタプラグと記憶装置のソケットとの分解斜視図である。
【図３】図１に示したコネクタプラグの分解斜視図である。
【図４】図１に示したコネクタプラグと記憶装置のソケットとのIV−IV線に沿った断面図である。
【発明を実施するための形態】
【０００７】
本発明に係るコネクタプラグについて、図面に基づいて以下に詳述する。
【０００８】
図１及び図２を参照すると、本発明に係るコネクタプラグ２０は、例えばハードディスクのような記憶装置のソケット１０に挿接するために用いられる。ソケット１０は、ハードディスク内に設置され、且つ基体１１及びポート１３を備えている。本実施形態において、ポート１３はＳＡＴＡポートであり、基体１１は回路基板である。ポート１３は、基体１１に固定されており、絶縁体１３１、タングプレート１３２、及び接続端子（図示せず）を備えている。絶縁体１３１は中空の矩形体であり、その１つの側壁には切欠部１３３設けられている。タングプレート１３２は、絶縁体１３１の内部に設置されている。タングプレート１３２の側壁の２つの外表面と絶縁体１３１との間にはそれぞれ間隔が設けられている。また、タングプレート１３２の切欠部１３３に対応する表面には係合溝１３４が設けられている。前記接続端子は、タングプレート１３２の表面に係合溝１３４から離隔して配設されている。
【０００９】
図３を参照すると、コネクタプラグ２０は、ハウジング２１、絶縁挿入部２２、ケーブル２３、及び係合部材２４を備えている。ハウジング２１は略長方体状の形態とされ、絶縁挿入部２２の一端はポリエチレン（ＰＥ）又はポリフッ化ビニル（ＰＶＦ）を射出することによって被覆形成されている。ケーブル２３は、ハウジング２１の絶縁挿入部２２から離隔した一端に設けられている。また、絶縁挿入部２２内には導電端子２２１が配設されており、導電端子２２１はケーブル２３と電気的に接続されている。
【００１０】
さらに、コネクタプラグ２０は収容部２６を備えている。収容部２６は略長方形状の溝とされ、ハウジング２１と絶縁挿入部２２とを連通するように形成されている。収容部２６は、底壁２６１、対向する２つの側壁２６２及び貫通部２６３を備える。絶縁挿入部２２から離隔している底壁２６１の一端には、当接斜面２６４が形成されている。絶縁挿入部２２に近接する２つの側壁２６２の箇所それぞれには、軸穴２６２１が形成されている。貫通部２６３は、底壁２６１の当接斜面２６４から離隔している一端に設けられている。言い換えれば、貫通部２６３は、絶縁挿入部２２に形成されており、絶縁挿入部２２を貫通している。
【００１１】
係合部材２４は、弾性材料によって一体成型されており、主体２４１、係合凸部２４２、２つの回転軸２４３、及び弾性アーム２４５を備えている。主体２４１は、作用アーム２４６と、作用アーム２４６の一端から上方に傾斜して延伸された押圧アーム２４７とを備えている。また、弾性アーム２４５に近い作用アーム２４６の表面には、当接凸部２４６１が形成されている。係合凸部２４２は、当接凸部２４６１から離隔している作用アーム２４６の一端に形成されており、当接凸部２４６１と同一表面に配置されている。２つの回転軸２４３は、作用アーム２４６に近い押圧アーム２４７の一端における両側面から突出するように形成されている。回転軸２４３それぞれの端面が傾斜面として構成されているので、容易に回転軸２４３それぞれを軸穴２６２１に挿入及び係合することができる。弾性アーム２４５は、作用アーム２４６が位置する押圧アーム２４７の表面から延在している。この場合には、弾性アーム２４５は押圧アーム２４７と一定の傾斜角度を成す。
【００１２】
図４を参照すると、係合部材２４は収容部２６内に装着されている。この場合、２つの回転軸２４３それぞれが２つの軸穴２６２１それぞれに装着され、作用アーム２４６は底壁２６１の一部分と当接している。係合凸部２４２は、貫通部２６３を貫通して絶縁挿入部２２内に突出すると共に、導電端子２２１と対向する側に位置しており、弾性アーム２４５は当接斜面２６４と当接している。
【００１３】
コネクタプラグ２０を利用することによってケーブル２３をソケット１０に接続する際には、すなわち、コネクタプラグ２０の絶縁挿入部２２をポート１３内に挿入する際には、最初に押圧アーム２４７をハウジング２１側に向けて押圧する。次に、２つの回転軸２４３それぞれを２つの軸穴２６２１それぞれの内側で回転させる。これにより、作用アーム２４６は絶縁挿入部２２に対して傾けられ、係合凸部２４２が絶縁挿入部２２の貫通部２６３から離隔される。このときに、当接凸部２４６１が収容部２６の底壁２６１に当接し、弾性アーム２４５が押圧アーム２４７の押圧力によって変形される。次に、ソケット１０のタングプレート１３２がコネクタプラグ２０の絶縁挿入部２２内に位置するように、コネクタプラグ２０をソケット１０に挿入する。その後に、押圧アーム２４７に作用させている外力を解除し、弾性アーム２４５の弾性力によって押圧アーム２４７を元の位置に復帰させる。この場合には、作用アーム２４６の係合凸部２４２が再び貫通部２６３に進入し、タングプレート１３２の係合溝１３４に係合されると共に、弾性アーム２４５が係合凸部２４２と係合溝１３４とが係合するように係合力を加えるので、コネクタプラグ２０はソケット１０に緊密に接続される。これにより、コネクタプラグ２０とソケット１０との接続が弛緩することを効果的に防止することができる。
【００１４】
ソケット１０からコネクタプラグ２０を取り外す際には、押圧アーム２４７をハウジング２１側に向けて押圧し、切欠部１３３内で作用アーム２４６を傾けることによって、係合凸部２４２と係合溝１３４との係合を解除する。その後に、コネクタプラグ２０を引っ張ることによってコネクタプラグ２０をソケット１０から取り外す。
【００１５】
本発明に係るコネクタプラグ２０の挿入及び取り外しの操作は容易で且つ係合凸部２４２とタングプレート１３２との間に摩擦が発生しないので、係合凸部２４２が摩擦に起因して損傷することを防止し、記憶装置の安定的な使用を確保することができる。
【００１６】
また、前記弾性アーム２４５と前記主体２４１は、それぞれ異なる色の材料を用いて射出成型することができる。さらに、弾性アーム２４５は、より優れた弾性特性を有している可塑性材料から製造される場合には、弾性アーム２４５をさらに長寿命化することが確実とされる。
【００１７】
以上において、本発明の好適な実施形態について詳細に説明したが、本発明は上述の実施形態に限定されるものではなく、本発明の範囲内で種々の変形又は修正が可能であり、該変形又は修正もまた本発明の特許請求の範囲内に含まれるものであることは言うまでもない。
【符号の説明】
【００１８】
１０  ソケット
１１  基体
１３  ポート
１３１  絶縁体
１３２  タングプレート
１３３  切欠部
１３４  係合溝
２０  コネクタプラグ
２１  ハウジング
２２  絶縁挿入部
２２１  導電端子
２３  ケーブル
２４  係合部材
２４１  主体
２４２  係合凸部
２４３  回転軸
２４５  弾性アーム
２４６  作用アーム
２４６１  当接凸部
２４７  押圧アーム
２６  収容部
２６１  底壁
２６２  側壁
２６２１  軸穴
２６３  貫通部
２６４  当接斜面
【図１】
2013131496.tif 000003
【図２】
2013131496.tif 000004
【図３】
2013131496.tif 000005
【図４】
2013131496.tif 000006